(57)【要約】【課題】任意の地点における放送番組の視聴可否を予測し、視聴可能と判断された放送局に関する情報を提供できるようにする。【解決手段】受信可否予測プログラムは、機器の位置を示す情報を取得するステップと、位置情報と、当該位置情報が示す位置における放送局ごとの電波受信レベルとを対応付けて記憶する記憶部から、機器の位置から所定距離内の位置における放送局ごとの電波受信レベルを読み出し、読み出した電波受信レベルに基づいて機器の位置における放送局ごとの電波受信レベルの予測値を算出する予測ステップと、電波受信レベルの予測値が所定の閾値以上である放送局に関する情報を出力する出力ステップとをコンピュータに実行させる。【選択図】図９
2015070362.tif 000002
【特許請求の範囲】
【請求項１】
機器の位置を示す情報を取得するステップと、
位置情報と、当該位置情報が示す位置における放送局ごとの電波受信レベルとを対応付けて記憶する記憶部から、前記機器の位置から所定距離内の位置における放送局ごとの電波受信レベルを読み出し、読み出した電波受信レベルに基づいて前記機器の位置における放送局ごとの電波受信レベルの予測値を算出する予測ステップと、
前記電波受信レベルの予測値が所定の閾値以上である放送局に関する情報を出力する出力ステップと、
をコンピュータに実行させる受信可否予測プログラム。
【請求項２】
前記予測ステップにおいて、前記機器の位置に近い位置情報と関連付けられている電波受信レベルほど重みが大きくなるように重みづけした電波受信レベルの加重平均を、電波受信レベルの予測値として算出する
請求項１に記載のプログラム。
【請求項３】
前記記憶部は、前記放送局と当該放送局が属する系列とを対応付けて記憶しており、
前記出力ステップにおいて、同一の系列に属する放送局が複数存在する場合、同一の系列に属する放送局のうち、予め定められた放送対象地域に前記機器の位置を含む放送局に関する情報を出力する
請求項１又は２に記載のプログラム。
【請求項４】
前記記憶部は、前記放送局と当該放送局が属する系列とを対応付けて記憶しており、
前記出力ステップにおいて、同一の系列に属する放送局が複数存在する場合、同一の系列に属する放送局のうち前記電波受信レベルの予測値が高い放送局に関する情報を出力する
請求項１又は２に記載のプログラム。
【請求項５】
前記放送局に関する、ネットワークサービスへの投稿を取得するステップをさらに実行させ、
前記出力ステップにおいて、前記ネットワークサービスへの投稿を前記放送局に関する情報として出力する
請求項１から４のいずれか一項に記載のプログラム。
【請求項６】
機器の位置を示す情報を取得するステップと、
位置情報と、当該位置情報が示す位置における放送局ごとの電波受信レベルとを対応付けて記憶する記憶部から、前記機器の位置から所定距離内の位置における放送局ごとの電波受信レベルを読み出し、読み出した電波受信レベルに基づいて前記機器の位置における放送局ごとの電波受信レベルの予測値を算出する予測ステップと、
前記電波受信レベルの予測値が所定の閾値以上である放送局に関する情報を出力する出力ステップと、
をコンピュータが実行する受信可否予測方法。
【請求項７】
機器の位置を示す情報を取得する位置情報取得部と、
位置情報と、当該位置情報が示す位置における放送局ごとの電波受信レベルとを対応付けて記憶する記憶部から、前記機器の位置から所定距離内の位置における放送局ごとの電波受信レベルを読み出し、読み出した電波受信レベルに基づいて前記機器の位置における放送局ごとの電波受信レベルの予測値を算出する予測電波受信レベル予測部と、
前記電波受信レベルの予測値が所定の閾値以上である放送局に関する情報を出力する放送情報出力部と、
を有する受信可否予測装置。
【発明の詳細な説明】
【技術分野】
【０００１】
本発明は、受信可否予測プログラム、受信可否予測方法及び受信可否予測装置に関する。
【背景技術】
【０００２】
テレビジョン放送を受信するチューナを備えていない機器は、実際の受信状態に基づいて受信可能な放送局を特定することができない。よって、そのような機器が例えば電子番組ガイド（ＥＰＧ）を取得する場合、都道府県のような行政区分を、ユーザに指定させたりＧＰＳを利用して取得したりして特定するという方法が採られている。行政区分を単位として放送局の放送対象地域が定められている場合、ユーザ又は受信装置が位置する行政区分が特定できれば、当該行政区分を放送対象地域とする放送局がわかる。
【０００３】
ところで、放送波が放送対象地域外に到達し（「スピルオーバー」とも呼ぶ）、ある区域を対象とした放送波が隣接する区域においても受信できることがある。また、地域境界から予め定められた所定距離内に位置する場合に、地域コードを選択させるという技術が提案されている（例えば、特許文献１）。
【先行技術文献】
【特許文献】
【０００４】
【特許文献１】特開２００８−３５１６０号公報
【発明の概要】
【発明が解決しようとする課題】
【０００５】
しかしながら、スピルオーバーを考慮して実際の視聴可否を予測し、例えばＥＰＧのような放送局に関する情報を出力することはできなかった。そこで、本発明は、任意の地点における放送番組の視聴可否を予測し、視聴可能と判断された放送局に関する情報を提供できるようにすることを目的とする。
【課題を解決するための手段】
【０００６】
本発明に係る受信可否予測プログラムは、機器の位置を示す情報を取得するステップと、位置情報と、当該位置情報が示す位置における放送局ごとの電波受信レベルとを対応付けて記憶する記憶部から、機器の位置から所定距離内の位置における放送局ごとの電波受信レベルを読み出し、読み出した電波受信レベルに基づいて機器の位置における放送局ごとの電波受信レベルの予測値を算出する予測ステップと、電波受信レベルの予測値が所定の閾値以上である放送局に関する情報を出力する出力ステップとをコンピュータに実行させる。
【０００７】
このようにすれば、予め電波受信レベルのわかっている地点の情報に基づいて、機器の位置における電波受信レベルを予測することができる。すなわち、任意の地点における放送番組の視聴可否を予測し、視聴可能と判断された放送局に関する情報を提供できるようになる。
【０００８】
また、受信可否予測プログラムは、予測ステップにおいて、機器の位置に近い位置情報と関連付けられている電波受信レベルほど重みが大きくなるように重みづけした電波受信レベルの加重平均を、電波受信レベルの予測値として算出するようにしてもよい。このようにすれば、機器の位置と予め電波受信レベルがわかっている地点との距離を反映して電波受信レベルの予測値を算出することができる。
【０００９】
また、記憶部は、放送局と当該放送局が属する系列とを対応付けて記憶しており、受信可否予測プログラムは、出力ステップにおいて、同一の系列に属する放送局が複数存在する場合、同一の系列に属する放送局のうち、予め定められた放送対象地域に機器の位置を含む放送局に関する情報を出力するようにしてもよい。同一の系列に属する複数の放送局の電波を受信可能である場合、適切な放送局を選択することができる。
【００１０】
また、記憶部は、放送局と当該放送局が属する系列とを対応付けて記憶しており、受信可否予測プログラムは、出力ステップにおいて、同一の系列に属する放送局が複数存在する場合、同一の系列に属する放送局のうち電波受信レベルの予測値が高い放送局に関する情報を出力するようにしてもよい。このようにしても、同一の系列に属する複数の放送局の電波を受信可能である場合、適切な放送局を選択することができる。
【００１１】
受信可否予測プログラムは、放送局に関する、ネットワークサービスへの投稿を取得するステップをさらに実行させ、出力ステップにおいて、ネットワークサービスへの投稿を放送局に関する情報として出力するようにしてもよい。放送局に関する情報は、ＥＰＧのような情報に限られず、放送局に関するネットワークサービスへの投稿であってもよい。
【００１２】
なお、プログラムは、コンピュータが読み取り可能な記録媒体に記録されていてもよい。ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体のうち、コンピュータから取り外し可能なものとしては、フレキシブルディスク、光磁気ディスク、光ディスク、フラッシュメモリ、磁気テープ等がある。また、コンピュータに固定された記録媒体としては、ＨＤＤ（Hard Disk Drive）、ＳＳＤ（Solid State Drive）、ＲＯＭ（Read Only Memory）等がある。
【００１３】
また、本発明に係るプログラムによって、コンピュータは受信可否予測方法を実行することもでき、本発明に係る処理を実行する装置を提供することもできる。
【発明の効果】
【００１４】
本発明によれば、任意の地点における放送番組の視聴可否を予測し、視聴可能と判断された放送局に関する情報を提供できるようになる。
【図面の簡単な説明】
【００１５】
【図１】システム構成の一例を示すブロック図である。
【図２】予測サーバの一例を示す機能ブロック図である。
【図３】標本点情報記憶部に記憶されるテーブルの一例を示す表である。
【図４】標本点の配置の一例を説明するための図である。
【図５】放送対象地域記憶部に記憶されるテーブルの一例を示す表である。
【図６】コンピュータの構成の一例を示す装置構成図である。
【図７】システムの処理の一例を示すシーケンス図である。
【図８】ユーザ端末の位置から所定距離内の標本点を説明するための図である。
【図９】視聴可能局予測処理の一例を示す処理フロー図である。
【図１０】標本点の簡易的な抽出方法の一例を説明するための図である。
【図１１】システムの処理の変形例を示すシーケンス図である。
【図１２】テーブル構成の変形例を示すクラス図である。
【発明を実施するための形態】
【００１６】
以下、図面を参照して、本発明を実施するための形態について説明する。なお、本実施
形態の構成は例示であり、本発明は以下の構成には限定されない。
【００１７】
＜システム構成＞
図１は、本実施形態に関連するシステム全体の構成図である。図１のシステムは、予測サーバ１と、ＥＰＧ（Electronic Program Guide：電子番組表）サーバ２と、ＳＮＳ（Social Networking Service）サーバ３と、ユーザ端末４とを含み、これらが例えばインタ
ーネットのようなネットワーク５を介して接続されている。予測サーバ１は、スピルオーバーを考慮して任意の地点の電波受信状態を予測し、受信可能と予測された放送に関する情報をユーザ端末４に送信する。ＥＰＧサーバ２は、放送に関する情報の一例であるＥＰＧデータを配信する。また、ＳＮＳサーバ３は、例えばミニブログのようなＳＮＳサービス（「ネットワークサービス」とも呼ぶ）を提供する装置であり、ユーザからの投稿を受け付け、公開する。なお、ユーザからの投稿のうち特定の放送局又は番組について言及したものを、放送に関する情報として予測サーバ１が収集しておくようにしてもよい。また、ユーザ端末４は、スマートフォン、タブレットコンピュータ、携帯電話機、パーソナルコンピュータ、テレビジョン受像機等である。
【００１８】
各装置の数は２つ以上であってもよい。例えば、ＥＰＧサーバ２は、放送局ごとに存在してもよく、複数のＳＮＳサーバ３から情報を取得するようにしてもよい。また、ＥＰＧは、インターネットを介して配信されるようにしてもよいし、放送ストリームの中で配信される態様であってもよい。
【００１９】
＜予測サーバの機能＞
図２は、本実施形態に係る予測サーバ１の一例を示す機能ブロック図である。図２の予測サーバ１は、位置情報取得部１１と、電波受信レベル予測部１２と、標本点情報記憶部１３と、視聴可能局決定部１４と、放送対象地域記憶部１５と、放送情報出力部１６と、放送情報記憶部１７とを含む。
【００２０】
位置情報取得部１１は、ネットワーク５を介してユーザ端末４から位置情報を受信する。受信する位置情報は、例えばユーザ端末４の位置を示す情報であり、ユーザ端末４が備えるＧＰＳ（Global Positioning System）機能により生成される。また、電波受信レベ
ル予測部１２は、ユーザ端末４から取得した位置情報と、標本点情報記憶部１３から取得した所定の地点におけるテレビジョン（以下、単に「テレビ」とも呼ぶ）放送の電波の受信レベルとを用いて、ユーザ端末４の位置における放送電波の受信レベルを算出する。
【００２１】
標本点情報記憶部１３は、所定の地点におけるテレビ等の放送電波の受信レベルを記憶している。図３に、標本点情報記憶部１３に記憶される標本点情報の一例を示す。図３の標本点情報は、標本点ＩＤ、緯度、経度、放送局ＩＤ、系列ＩＤ、電波受信レベルといったフィールド（「列」とも呼ぶ）を有するテーブルである。標本点ＩＤのフィールドには、標本点を識別するための識別情報が登録される。緯度及び経度のフィールドには、標本点の位置である緯度及び経度を示す角度が登録される。放送局ＩＤのフィールドには、当該標本点で視聴可能な放送局を識別するための識別情報が登録される。系列ＩＤのフィールドには、放送局が属する系列を識別するための識別情報が登録される。電波受信レベルのフィールドには、例えば、電界強度、ＣＮ（Carrier Noise）比又は変調誤差比の少な
くとも１つに基づく値が登録される。すなわち、電波受信レベルは、受信電力又は電波の品質に基づく基準値である。例えば、電波受信レベルは、値が高いほど電波の受信状態が良好であるものとする。
【００２２】
本実施形態における標本点は、予め電波受信レベルがわかっている所定の地点である。図４は、地図上に標本点の一例を示す図である。図４の例では、クロス記号が標本点の位置を示している。標本点は、図４に示すように等間隔に配置されていなくてもよいし、周
囲の標本点との間隔がほぼ等しくなるように配置されていてもよい。また、標本点は海上に設けられていてもよい。標本点における電波受信レベルは、例えば電界強度測定装置で測定した値に基づいて定めるようにしてもよいし、各標本点の周辺でユーザが放送を受信した際の電波受信状態を示す情報をユーザ端末４等から収集し、決定するようにしてもよい。なお、青森県北部の標本点においては、北海道を放送対象地域とした放送波が受信可能であり、青森県南部の標本点においては、岩手県を放送対象地域とした放送波が受信可能である。放送対象地域の境界付近のユーザは、隣接する地域を放送対象とした放送局の番組を視聴していることもある。
【００２３】
視聴可能局決定部１４は、電波受信レベル予測部１２が算出した放送電波の受信レベルの予測値と、放送対象地域記憶部１５に記憶されている放送局が放送対象とする地域の情報とを用いて、ユーザ端末４の位置にいて視聴可能と予測される放送局を決定する。放送対象地域記憶部１５は、例えば、放送対象の地域を示す行政区分と、当該地域に対して放送する放送局とを示す情報を記憶している。図５に、放送対象地域記憶部１５に記憶される放送対象地域情報の一例を示す。図５の放送対象地域情報は、行政区分ＩＤ、放送局ＩＤといったフィールドを有するテーブルである。行政区分ＩＤのフィールドには、都道府県のような行政区分に対応する識別情報が登録される。また、放送局ＩＤのフィールドには、当該行政区分を放送対象地域とする放送局を識別するための識別情報が登録される。
【００２４】
放送情報出力部１６は、視聴可能局決定部１４が決定した視聴可能局に関する放送の情報を放送情報記憶部１７から取得し、ユーザ端末４に送信する。本実施の形態では、放送に関する情報として、例えばＥＰＧデータ又は番組若しくは放送局に関するネットワークサービス（例えば、ミニブログ）への投稿データを予測サーバ１が送信する。放送情報記憶部１７には、例えば、ネットワーク５を介してＥＰＧサーバ２又はＳＮＳサーバ３から予測サーバ１が取得したＥＰＧデータ又は番組若しくは放送局に関するＳＮＳへの投稿データを予め記憶させておく。また、放送情報記憶部１７には、番組又は放送局に関する投稿であることを示すキーワード（例えば、「ハッシュタグ」）を記憶させておき、予測サーバ１は当該キーワードをユーザ端末４に送信し、ユーザ端末４がＳＮＳサーバ３から投稿データを取得するようにしてもよい。図３の例では、便宜上、標本点情報記憶部１３、放送対象地域記憶部１５及び放送情報記憶部１７を示しているが、これらは予測サーバ１の記憶部であり、具体的には、補助記憶装置又は主記憶装置である。
【００２５】
＜装置構成＞
図６は、コンピュータの装置構成図の一例である。予測サーバ１、ＥＰＧサーバ２、ＳＮＳサーバ３及びユーザ端末４は、図６に示すようなコンピュータである。コンピュータは、ＣＰＵ（Central Processing Unit）１００１、主記憶装置１００２、補助記憶装置
１００３、通信ＩＦ（Interface）１００４、入出力ＩＦ（Interface）１００５、ドライブ装置１００６、通信バス１００７を備えている。ＣＰＵ１００１は、プログラム（「ソフトウェア」又は「アプリケーション」とも呼ぶ）を実行することにより本実施の形態に係る処理等を行う。主記憶装置１００２は、ＣＰＵ１００１が読み出したプログラムやデータをキャッシュしたり、ＣＰＵの作業領域を展開したりする。主記憶装置は、具体的には、ＲＡＭ（Random Access Memory）やＲＯＭ（Read Only Memory）等である。補助記憶装置１００３は、ＣＰＵ１００１により実行されるプログラムや、本実施の形態で用いる情報などを記憶する。補助記憶装置１００３は、具体的には、ＨＤＤ（Hard-disk Drive
）やＳＳＤ（Solid State Drive）、フラッシュメモリ等である。主記憶装置１００２や
補助記憶装置１００３は、予測サーバ１の標本点情報記憶部１３、放送対象地域記憶部１５及び放送情報記憶部１７等として働く。なお、ＥＰＧサーバ２の補助記憶装置１００３は、放送が予定されている番組の開始時刻、内容等の情報を記憶する。また、ＳＮＳサーバ３の補助記憶装置１００３は、通信ＩＦを介してユーザが投稿した書き込みを記憶する。通信ＩＦ１００４は、他のコンピュータとの間でデータを送受信する。通信ＩＦ１００
４は、具体的には、有線又は無線のネットワークカード等である。入出力ＩＦ１００５は、入出力装置と接続され、ユーザから入力を受け付けたり、ユーザへ情報を出力したりする。入出力装置は、具体的には、キーボード、マウス、ディスプレイ、各種センサ又はタッチパネル等である。なお、ユーザ端末４の入出力ＩＦ１００５は、ＧＰＳ信号を受信して位置を示す情報を出力するＧＰＳモジュールとも接続されているものとする。ドライブ装置１００６は、磁気ディスク、光磁気ディスク、光ディスク等の記憶媒体に記録されたデータを読み出したり、記憶媒体にデータを書き込んだりする。以上のような構成要素が、通信バス１００７で接続されている。なお、これらの構成要素は複数設けられていてもよいし、一部の構成要素（例えば、ドライブ装置１００６）を設けないようにしてもよい。また、入出力装置がコンピュータと一体に構成されていてもよい。そして、ドライブ装置１００６で読み取り可能な可搬性の記憶媒体や、フラッシュメモリのような可搬性の補助記憶装置１００３、通信ＩＦ１００４などを介して、本実施の形態で実行されるプログラムが提供されるようにしてもよい。そして、ＣＰＵ１００１がプログラムを実行することにより、上記のようなコンピュータを、予測サーバ１等として働かせる。
【００２６】
＜システムの処理＞
図７は、本実施形態に係るシステムの処理の一例を示すシーケンス図である。まず、ユーザ端末４は、ＧＰＳモジュールを介してユーザ端末４の位置を示す情報（「位置情報」とも呼ぶ）を取得する（図７（１））。なお、位置情報は、既存の規格に基づくデータフォーマットを利用して表すことができる。次に、ユーザ端末４は、取得した位置情報を予測サーバ１に送信する（図７（２））。一方、予測サーバ１の位置情報取得部１１は、ユーザ端末４から位置情報を取得する。また、予測サーバ１の電波受信レベル予測部１２は、受信した位置情報が示す位置から所定距離内に存在する標本点の情報を標本点情報記憶部１３に要求し（図７（３））、標本点情報記憶部１３は要求された標本点情報を返す（図７（４））。
【００２７】
図８は、図４に示した地図上の標本点に、ユーザ端末４から所定距離内の領域を示した図である。図８の例では、ユーザ端末４の位置を黒丸印で示し、当該位置を中心として半径が所定距離の円を実線で示している。上記の段階（４）では、円の内部に存在する標本点の情報を標本点情報記憶部１３が返す。所定距離は、標本点が少なくとも１つ以上含まれる程度の大きさであることが好ましく、逆に標本点は、疎密の偏りが少なくなるように設けられることが好ましい。
【００２８】
また、予測サーバ１の電波受信レベル予測部１２は、ユーザ端末４の位置における電波受信レベルの予測値を算出し、予測サーバ１の視聴可能局決定部１４は、ユーザ端末４の位置において視聴可能な放送局を予測する（図７（５））。なお、予測処理の詳細は後述する。そして、予測サーバ１の放送情報出力部１６は、視聴可能と予測された放送局の番組に関する情報を、予測サーバ１の放送情報記憶部１７に要求し（図７（６））、放送情報記憶部１７は、要求された放送情報を返す（図７（７））。その後、予測サーバ１の放送情報出力部１６は、取得した放送情報をユーザ端末４に送信する（図７（８））。ユーザ端末４は、受信した放送情報をユーザ端末４の画面等の出力装置に出力する（図７（９））。
【００２９】
＜視聴可能局予測処理＞
次に、図９を用いて予測サーバ１の処理の詳細を説明する。図９は、予測サーバ１が実行する視聴可能局予測処理の一例を示す処理フロー図である。まず、予測サーバ１の位置情報取得部１１は、ネットワーク５を介してユーザ端末４の位置情報を取得する（図９：Ｓ１）。ここでは、ユーザ端末４の位置情報として、緯度及び経度を含むデータを受信する。
【００３０】
また、予測サーバ１の電波受信レベル予測部１２は、ユーザ端末４から受信した位置情報が示す位置から所定距離内に存在する標本点の情報を、標本点情報記憶部１３から取得する（Ｓ２）。本ステップでは、例えば図３に示したようなテーブルに含まれる標本点のレコードのうち、標本点の位置を示す緯度及び経度が、ユーザ端末４の位置から所定距離内に含まれるレコードを抽出する。仮に所定距離が１０ｋｍである場合、２地点間の距離をそれぞれ算出して距離が１０ｋｍ以下となる標本点を抽出してもよいし、簡易的に半径１０ｋｍの円が内接する四角形を求めて当該矩形内に含まれる標本点を抽出してもよい。
【００３１】
ここで、緯度及び経度を距離（メートル）に換算する場合、例えば緯度１秒あたりの距離ｌの近似値は以下の式で求められる。
【数１】
2015070362.tif 000003
なお、φは対象地点の地理緯度、ａは地球の赤道半径（長半径）、ｅは離心率である。
【００３２】
また、経線に沿う経度１秒あたりの緯線の長さΔｌは、以下の式で求められる。
【数２】
2015070362.tif 000004
なお、φは対象地点の地理緯度、ａは地球の赤道半径、ｅは離心率、Δλは始点と終点の経度の差である。
【００３３】
例えば、日本緯度経度原点においては、緯度１秒の距離は約３０．８２０ｍであり、１０ｋｍは３２４．４６秒（１０ｋｍ÷３０．８２０ｍ）である。また、経度１秒の距離は約２５．１５３ｍであり、１０ｋｍは３２４．４６秒（１０ｋｍ÷２５．１５３ｍ）である。この距離を用いて、簡易的に標本点を抽出するようにしてもよい。すなわち、図１０に示すように、ユーザ端末４から取得した位置情報が北緯ｙ度、東経ｘ度を示している場合、（ｘ度−３９７．５７秒，ｙ度＋３２４．４６秒）、（ｘ度＋３９７．５７秒，ｙ度＋３２４．４６秒）、（ｘ度＋３９７．５７秒，ｙ度−３２４．４６秒）、（ｘ度−３９７．５７秒，ｙ度−３２４．４６秒）の４点が形成する四角形の内部に含まれる標本点を取得するようにしてもよい。すなわち、図３に示したテーブルから、緯度が「ｙ度−３２４．４６秒」以上、「ｙ度＋３２４．４６秒」以下、且つ経度が「ｘ度−３９７．５７秒」以上、「ｘ度＋３９７．５７秒」以下であるレコードを取得する。このようなおおよその値を用いて標本点を抽出するようにしてもよい。
【００３４】
次に、電波受信レベル予測部１２は、ユーザ端末４の位置における電波受信レベルの予測値を算出する（Ｓ３）。本ステップでは、例えば、取得した標本点において視聴可能な放送局の各々につき、電波受信レベルの加重平均を算出する。電波受信レベルの加重平均は、次の式によって求めることができる。
【数３】
2015070362.tif 000005
なお、Ｐは、所定距離（上記の例では１０ｋｍ）である。Ｄ１〜Ｄｎは、標本点とユーザ端末４の位置との距離である。また、Ｓ１〜Ｓｎは、各標本点における電波受信レベルである。ここで、（Ｐ−Ｄｎ）≧０となる標本点１〜ｎを用いて加重平均ｍを算出すれば、Ｓ２においておおよその値を用いて標本点を抽出した場合であっても、ユーザ端末４の位置から所定距離内の標本点を用いて加重平均ｍが算出されることになる。算出される加重平均ｍは、本実施形態における電波受信レベルの予測値である。すなわち、電波受信レベルの予測値は、機器の位置に近い位置情報と関連付けられている電波受信レベルほど重みが大きくなるように重みづけした、電波受信レベルの加重平均になっている。
【００３５】
また、予測サーバ１の視聴可能局決定部１４は、視聴可能局を決定する（Ｓ４）。本ステップでは、例えば、加重平均ｍが所定の閾値以上である放送局を、視聴可能局として抽出する。さらに、抽出された視聴可能局の中に同一系列の放送局が存在する場合、視聴可能局決定部１４は、同一系列の放送局の中からユーザに提示する放送局を絞り込む（Ｓ５）。ここで、放送局の系列とは、放送番組を共有する放送事業者のネットワークをいう。よって、同一の系列に属している放送局は、同一の番組を放送することが多い。本実施の形態では、Ｓ５において、同一の系列に属する放送局のうち、電波の受信状態が良好であると推測できる放送局を絞り込む。
【００３６】
例えば、同一の系列に属している複数の放送局から放送波を受信できると予測された場合、視聴可能局決定部１４は、まず、ユーザ端末４が位置する行政区分を放送対象地域とする放送局が存在するか判断する。各放送局と放送対象地域との対応付けは、図５に示したような、放送対象地域記憶部１５のテーブルに予め記憶されている。そして、該当する放送局が存在するときは、当該放送局に絞り込む。また、ユーザ端末４が位置する行政区分を放送対象地域とする放送局が存在しないときは、視聴可能局決定部１４は、同一の系列に属している複数の放送局のうち電波受信レベルの予測値が高い放送局に絞り込む。絞り込まれた放送局は、ユーザ端末４の位置において放送波を良好に受信できる可能性の高い放送局といえる。
【００３７】
なお、ユーザ端末４が位置する行政区分は、例えば、既存のＡＰＩ（Application Program Interface）をネットワークを介して利用し、ユーザ端末４の緯度及び経度から特定
するようにしてもよい。また、予測サーバ１が緯度及び経度から行政区分を特定する機能をさらに有するようにしてもよい。また、図９のＳ５においては、ユーザ端末４が位置する行政区分に基づく判断を行うことなく、単に電波受信レベルの予測値が高い放送局に絞り込むようにしてもよい。
【００３８】
その後、予測サーバ１の放送情報出力部１６は、絞り込まれた放送局に関する情報を放送情報記憶部１７から取得し、ネットワーク５を介してユーザ端末４に送信する（Ｓ６）。本ステップでは、例えば本処理が実行されている時間帯以降に放送される予定の番組に関する情報を、放送情報記憶部１７から取得し、ユーザ端末４に送信する。具体的には、ＥＰＧに含まれる番組のタイトル及び内容を紹介する情報、又はネットワークサービスに投稿された情報であって特定の放送局又は番組に関する内容であることを示すキーワードが含まれるもの等が取得され、ユーザ端末４に送信される。その後、予測サーバ１は、視聴可能局予測処理を終了する。
【００３９】
本実施形態によれば、予めわかっている標本点の電波受信レベルに基づいてユーザ端末
４の位置における電波受信レベルを予測するため、単にユーザ端末４の存在する位置が属する行政区分に基づいて放送局を提示するような場合よりも、実際の電波受信状態を反映した放送局を提示することができる。すなわち、行政区分の境界付近ではスピルオーバーが発生している可能性があるところ、本実施形態かかる予測サーバ１によればスピルオーバーを考慮した視聴可能局を提示することができるようになる。チューナを備える受像機であれば、放送波を受信できるか否か判断することも可能であるが、テレビ放送を受信する機能を有していない携帯電話機やスマートフォン等のモバイル端末の場合は本実施形態に係る予測処理が好適である。
【００４０】
また、本実施形態では、電波受信レベルの予測値を算出するために、加重平均を算出する。ユーザ端末４からの距離に応じて重みづけした加重平均を用いることで、本実施形態のように標本点が等間隔に設けられていないような場合であっても、ユーザ端末４の周辺に存在する標本点の情報をもとに放送局間の電波受信レベルの大小を予測することができるようになる。
【００４１】
＜変形例＞
図６のシーケンス図では、処理のたびにユーザ端末４の位置を取得し、視聴可能局を決定したが、一旦視聴可能局を決定した後はユーザ端末４が例えば視聴可能局を示す識別情報を記憶装置に記憶しておき、２度目以降の処理では視聴可能局を決定する処理を省略してもよい。図１１は、変形例に係るシーケンス図である。
【００４２】
図１１の段階（１）〜（５）は、図６の段階（１）〜（５）と同様である。その後、予測サーバ１は、視聴可能と予測された放送局の識別情報をユーザ端末４に送信し（図１１（６））、ユーザ端末４は視聴可能と予測された放送局の識別情報を記憶装置に保持する。ユーザ端末４が視聴可能局を記憶していれば、予測サーバ１は予測処理を繰り返す必要がなくなる。なお、ユーザは、段階（６）で受信した放送局を確認し、放送局を変更してから記憶装置に保持させてもよい。
【００４３】
また、ユーザ端末４は、任意のタイミングで、視聴可能な放送局に関する情報を予測サーバ１に要求する（図１１（７））。このとき、ユーザ端末４は記憶している放送局の識別情報を送信する。また、予測サーバ１の放送情報出力部１６は、視聴可能な放送局に関する情報を放送情報記憶部１７に要求し（図１１（８））、放送情報記憶部１７は、該当する放送情報を返す（図１１（９））。そして、予測サーバ１の放送情報出力部１６は、該当する放送情報をユーザ端末４に送信し（図１１（１０））、ユーザ端末４は受信した放送情報を出力装置に出力する（図１１（１１））。
【００４４】
なお、ユーザ端末４の位置が所定の閾値以上移動した場合に、図１１（１）〜（５）の処理を再実行するようにしてもよい。また、前回の処理から所定の時間が経過した場合に、図１１（１）〜（５）の処理を再実行するようにしてもよい。
【００４５】
図１１のような処理を行う場合、図９の処理フローは、Ｓ５の後に予測サーバ１の視聴可能局決定部１４がユーザ端末４に視聴可能と予測された放送局の識別情報を送信するように変更される。また、予測サーバ１の放送情報出力部１６は、ユーザ端末４から視聴可能と予測された放送局の識別情報を受信し、Ｓ６の処理を行う。
【００４６】
また、図６及び図１１の（１）、図９のＳ１等では、ユーザ端末４が備えるＧＰＳモジュールを用いて位置情報を取得するものと説明したが、例えばユーザ端末４がユーザから住所の入力を受け付け、予測サーバ１側で住所に対応する緯度及び経度を特定するようにしてもよい。
【００４７】
また、図９に示した処理フローのＳ５を実行しないようにしてもよい。すなわち、同一の系列に属する放送局が複数存在するとき、視聴可能局を絞り込まなくてもよい。絞り込まない場合は、ユーザ端末４は、同一の系列に属する放送局を複数提示する。さらに、複数の放送局から放送情報を取得すべき放送局をユーザに選択させるようにしてもよい。
【００４８】
また、図３及び図５に示したテーブルは一例であり、同等の情報を保持していれば、テーブルの構成は図３及び図５の例には限られない。例えば、図１２にクラス図を示すような４つのテーブルを採用してもよい。図１２の例では、属性名（フィールド名）のみを示している。また、各矩形がテーブルを示し、各行がフィールドを示している。また、テーブル間の接続線は、対応するフィールドを表している。
【００４９】
また、上記の態様ではテレビジョン放送を例に説明したが、本技術はラジオ放送等に適用してもよい。
【符号の説明】
【００５０】
１      予測サーバ
１１      位置情報取得部
１２      電波受信レベル予測部
１３      標本点情報記憶部
１４      視聴可能局決定部
１５      放送対象地域記憶部
１６      放送情報出力部
１７      放送情報記憶部
２      ＥＰＧサーバ
３      ＳＮＳサーバ
４      ユーザ端末
５      ネットワーク
【図１】
2015070362.tif 000006
【図２】
2015070362.tif 000007
【図３】
2015070362.tif 000008
【図４】
2015070362.tif 000009
【図５】
2015070362.tif 000010
【図６】
2015070362.tif 000011
【図７】
2015070362.tif 000012
【図８】
2015070362.tif 000013
【図９】
2015070362.tif 000014
【図１０】
2015070362.tif 000015
【図１１】
2015070362.tif 000016
【図１２】
2015070362.tif 000017